(57)【要約】【課題】梁ユニットが誤った姿勢で取り付けられる不具合を阻止することができる遊技機設置用島設備を提供する。【解決手段】島本体２は、フレーム部材７と上側梁ユニット１１とを備え、上側梁ユニット１１は、梁本体２６と梁接合部２７とを備え、フレーム部材７の接合領域３４には、上寄りに位置する第１フレーム開口３６と下寄りに位置する第２フレーム開口３７とを開設し、第２フレーム開口３７を第１フレーム開口３６よりも島本体２の側方へずれた状態に設定し、両梁接合部２７には、上寄りに位置する第１位置合わせ開口４１と下寄りに位置する第２位置合わせ開口４２とを開設し、上側梁ユニット１１を組立姿勢に設定して接合領域３４に梁接合部２７を重合すると、第１フレーム開口３６と第１位置合わせ開口４１とが互いに開口縁部を揃えた状態で連通するとともに、第２フレーム開口３７と第２位置合わせ開口４２とが互いに開口縁部を揃えた状態で連通する。【選択図】図５
2009095519.tif 000002
【特許請求の範囲】
【請求項１】
箱型に形成された島本体を備え、該島本体の少なくとも一側面に遊技機を複数並設可能な遊技機設置用島設備において、
前記島本体は、当該島本体の長手方向に沿って間隔を空けて複数配置される縦長なフレーム部材と、隣り合うフレーム部材同士を連結する横長な梁ユニットと、を備え、
前記梁ユニットは、島本体の長手方向に沿って延在する梁本体と、該梁本体の両端に設けられ、フレーム部材に重合して当該梁ユニットとフレーム部材とを接合する梁接合部と、を備え、
前記フレーム部材のうち梁接合部が接合する接合領域には、当該接合領域の上寄りに位置する第１フレーム開口と、当該接合領域の下寄りに位置する第２フレーム開口と、を開設し、第１フレーム開口または第２フレーム開口のいずれか一方を他方よりも島本体の側方寄りへずれた状態に設定し、
前記両梁接合部には、当該梁接合部の上寄りに位置し、第１フレーム開口に連通可能な第１位置合わせ開口と、当該梁接合部の下寄りに位置し、第２フレーム開口に連通可能な第２位置合わせ開口と、をそれぞれ開設し、
前記梁ユニットを予め設定された組立姿勢に設定し、この姿勢で接合領域に梁接合部を重合すると、第１フレーム開口と第１位置合わせ開口とが互いに開口縁部を揃えた状態で連通するとともに、第２フレーム開口と第２位置合わせ開口とが互いに開口縁部を揃えた状態で連通し、
前記梁ユニットを予め設定された組立姿勢とは異なる姿勢に設定し、この姿勢で接合領域に梁接合部を重合すると、第１フレーム開口と第１位置合わせ開口とがずれるとともに、第２フレーム開口と第２位置合わせ開口とがずれるように構成されたことを特徴とする遊技機設置用島設備。
【請求項２】
前記第１フレーム開口、第２フレーム開口、第１位置合わせ開口、第２位置合わせ開口を円形状の開口としたことを特徴とする請求項１に記載の遊技機設置用島設備。
【請求項３】
前記第１フレーム開口と第１位置合わせ開口とを連通して形成された連通路を第１連通路とし、
前記第２フレーム開口と第２位置合わせ開口とを連通して形成された連通路を第２連通路とし、
前記第１連通路または第２連通路の一方には、少なくとも遊技機へ電源を供給するための電源供給配線を挿通し、他方には、少なくとも遊技機へ制御信号を送信するための信号配線を挿通したことを特徴とする請求項１または請求項２に記載の遊技機設置用島設備。
【発明の詳細な説明】
【技術分野】
【０００１】
本発明は、箱型に形成された島本体を備え、該島本体の一側面、あるいは両側面に遊技機を複数並設可能な遊技機設置用島設備に関する。
【背景技術】
【０００２】
遊技店において、遊技機、例えば遊技媒体としてコイン（メダル）を使用するパチスロ機は、店内に備えられた遊技機設置用島設備に複数台並べて設置されている。遊技機設置用島設備は、複数のフレーム部材を枠組みすることで箱型に形成された島本体を備え、該島本体の両側にそれぞれパチスロ機を島本体の長手方向に沿って複数並設するように構成されている。そして、島本体の構造に関しては、複数の支持柱を離間して立設し、支持柱の間の上寄りには上側梁ユニットとして機能するランプ板を架設し、下寄りには下側梁ユニットとして機能する支持テーブルを架設し、支持柱、ランプ板、支持テーブルで囲まれた空部にパチスロ機を収容するものが提案されている（例えば、特許文献１参照）。
【特許文献１】特開２００７−０１４４８６号公報
【発明の開示】
【発明が解決しようとする課題】
【０００３】
ところで、上記特許文献に記載の遊技機設置用島設備では、上下両側の梁ユニットのうち島本体の外方の遊技者通路へ臨ませる側部には装飾パネルや報知ランプなどの外装部材を止着する。このため、梁ユニットの一側に外装部材が止着可能な止着領域（例えば、外装部材を嵌合する嵌合溝部）を形成する必要がある。この結果、島本体を組み立てる際には、梁ユニットを予め設定された組立姿勢、詳しくは止着領域が遊技者通路側へ向けられた姿勢に設定し、この姿勢で梁ユニットを支持柱へ止着しなければならない。しかしながら、組立作業者が梁ユニットを組立姿勢とは異なる姿勢、すなわち誤った姿勢で島本体へ組み付ける虞があり、改善の余地を残している。
【０００４】
そこで、本発明は、上記の事情に鑑みてなされたものであり、その目的は、梁ユニットが誤った姿勢で取り付けられる不具合を阻止することができる遊技機設置用島設備を提供しようとするものである。
【課題を解決するための手段】
【０００５】
本発明は、上記目的を達成するために提案されたものであり、請求項１に記載のものは、箱型に形成された島本体を備え、該島本体の少なくとも一側面に遊技機を複数並設可能な遊技機設置用島設備において、
前記島本体は、当該島本体の長手方向に沿って間隔を空けて複数配置される縦長なフレーム部材と、隣り合うフレーム部材同士を連結する横長な梁ユニットと、を備え、
前記梁ユニットは、島本体の長手方向に沿って延在する梁本体と、該梁本体の両端に設けられ、フレーム部材に重合して当該梁ユニットとフレーム部材とを接合する梁接合部と、を備え、
前記フレーム部材のうち梁接合部が接合する接合領域には、当該接合領域の上寄りに位置する第１フレーム開口と、当該接合領域の下寄りに位置する第２フレーム開口と、を開設し、第１フレーム開口または第２フレーム開口のいずれか一方を他方よりも島本体の側方寄りへずれた状態に設定し、
前記両梁接合部には、当該梁接合部の上寄りに位置し、第１フレーム開口に連通可能な第１位置合わせ開口と、当該梁接合部の下寄りに位置し、第２フレーム開口に連通可能な第２位置合わせ開口と、をそれぞれ開設し、
前記梁ユニットを予め設定された組立姿勢に設定し、この姿勢で接合領域に梁接合部を重合すると、第１フレーム開口と第１位置合わせ開口とが互いに開口縁部を揃えた状態で連通するとともに、第２フレーム開口と第２位置合わせ開口とが互いに開口縁部を揃えた状態で連通し、
前記梁ユニットを予め設定された組立姿勢とは異なる姿勢に設定し、この姿勢で接合領域に梁接合部を重合すると、第１フレーム開口と第１位置合わせ開口とがずれるとともに、第２フレーム開口と第２位置合わせ開口とがずれるように構成されたことを特徴とする遊技機設置用島設備である。
【０００６】
請求項２に記載のものは、前記第１フレーム開口、第２フレーム開口、第１位置合わせ開口、第２位置合わせ開口を円形状の開口としたことを特徴とする請求項１に記載の遊技機設置用島設備である。
【０００７】
請求項３に記載のものは、前記第１フレーム開口と第１位置合わせ開口とを連通して形成された連通路を第１連通路とし、
前記第２フレーム開口と第２位置合わせ開口とを連通して形成された連通路を第２連通路とし、
前記第１連通路または第２連通路の一方には、少なくとも遊技機へ電源を供給するための電源供給配線を挿通し、他方には、少なくとも遊技機へ制御信号を送信するための信号配線を挿通したことを特徴とする請求項１または請求項２に記載の遊技機設置用島設備である。
【発明の効果】
【０００８】
本発明によれば、以下のような優れた効果を奏する。
請求項１に記載の発明によれば、島本体は、当該島本体の長手方向に沿って間隔を空けて複数配置される縦長なフレーム部材と、隣り合うフレーム部材同士を連結する横長な梁ユニットとを備え、梁ユニットは、島本体の長手方向に沿って延在する梁本体と、該梁本体の両端に設けられ、フレーム部材に重合して当該梁ユニットとフレーム部材とを接合する梁接合部とを備え、フレーム部材のうち梁接合部が接合する接合領域には、当該接合領域の上寄りに位置する第１フレーム開口と、当該接合領域の下寄りに位置する第２フレーム開口とを開設し、第１フレーム開口または第２フレーム開口のいずれか一方を他方よりも島本体の側方寄りへずれた状態に設定し、両梁接合部には、当該梁接合部の上寄りに位置し、第１フレーム開口に連通可能な第１位置合わせ開口と、当該梁接合部の下寄りに位置し、第２フレーム開口に連通可能な第２位置合わせ開口とをそれぞれ開設し、梁ユニットを予め設定された組立姿勢に設定し、この姿勢で接合領域に梁接合部を重合すると、第１フレーム開口と第１位置合わせ開口とが互いに開口縁部を揃えた状態で連通するとともに、第２フレーム開口と第２位置合わせ開口とが互いに開口縁部を揃えた状態で連通し、梁ユニットを予め設定された組立姿勢とは異なる姿勢に設定し、この姿勢で接合領域に梁接合部を重合すると、第１フレーム開口と第１位置合わせ開口とがずれるとともに、第２フレーム開口と第２位置合わせ開口とがずれるように構成したので、島本体の組立時に梁ユニットを組立姿勢に設定したか否かを一目して把握することができ、梁ユニットが誤った姿勢で取り付けられる不具合を阻止することができる。したがって、遊技機設置用島設備の組立作業を効率よく行うことができる。
【０００９】
請求項２に記載の発明によれば、第１フレーム開口、第２フレーム開口、第１位置合わせ開口、第２位置合わせ開口を円形状の開口としたので、梁ユニットが組立姿勢に設定されているか否かの判断材料となる開口を形成し易い。また、開口の縁部の１箇所に応力が集中することを防ぐことができ、梁接合部が破損し易くなる不都合を抑えることができる。
【００１０】
請求項３に記載の発明によれば、第１フレーム開口と第１位置合わせ開口とを連通して形成された連通路を第１連通路とし、第２フレーム開口と第２位置合わせ開口とを連通して形成された連通路を第２連通路とし、第１連通路または第２連通路の一方には、少なくとも遊技機へ電源を供給するための電源供給配線を挿通し、他方には、少なくとも遊技機へ制御信号を送信するための信号配線を挿通したので、電源供給配線と信号配線とが近接した状態で遊技機設置用島設備内に配設されることを防ぐことができる。したがって、電源供給配線から発生したノイズが制御信号に混在する不都合、ひいてはノイズの影響で遊技機の誤作動が生じる不都合を阻止することができる。
【発明を実施するための最良の形態】
【００１１】
以下、本発明を実施するための最良の形態を図面に基づいて説明する。図１は遊技機設置用島設備の概略斜視図である。なお、図１においては、左奥側から右手前側へ向かうにつれて順に１つずつ外装部材を取り外した状態を図示している。
【００１２】
遊技機設置用島設備１は、図１に示すように、複数の構成部材を連結して長尺な箱型に形成された島本体２を備え、該島本体２の長手方向の一側面および他側面には、遊技媒体としてコイン（メダル）を使用して遊技を実行可能なパチスロ機３（本発明における遊技機に相当）と、該パチスロ機３に対として設けられるコイン貸機４とを複数組並設している。
【００１３】
島本体２は、縦長なフレーム部材７（内部フレーム７ａおよび端部フレーム７ｂ）を当該島本体２の長手方向に沿って間隔を空けて複数配置している。具体的に説明すると、島本体２の長手方向の両端には端部フレーム７ｂを立設し、両端部フレーム７ｂの間のうち島本体２の長手方向の一側寄りおよび他側寄りには、端部フレーム７ｂよりも狭い前後幅の内部フレーム７ａを複数立設している。さらに、端部フレーム７ｂには、該端部フレーム７ｂよりも大きい矩形状の妻板９を島本体２の外方から止着して端部フレーム７ｂを被覆している。また、離間したフレーム部材７の間（詳しくは、端部フレーム７ｂと該端部フレーム７ｂに隣り合う内部フレーム７ａとの間、あるいは隣り合う内部フレーム７ａ同士の間）の上部には横長な上側梁ユニット１１（本発明における梁ユニットに相当）を備え、下部には上側梁ユニット１１と同じ横長寸法の下側梁ユニット１２を備えている。そして、フレーム部材７と上側梁ユニット１１と下側梁ユニット１２とにより区画形成された矩形状の開口を遊技機設置開口１４とし、該遊技機設置開口１４にパチスロ機３とコイン貸機４とを収容（設置）している。さらに、遊技機設置開口１４の下部には平板状の載置棚１５を外方へ向けて延設し、該載置棚１５にパチスロ機３およびコイン貸機４を載置できるように構成されている。
【００１４】
そして、図２に示すように、島本体２の内部には、パチスロ機３の背部やコイン貸機４の背部を臨ませる内側空間部１６を形成し、該内側空間部１６内には、複数のパチスロ機３からオーバーフローしたコインを受けるコイン受部や、該コイン受部に受けたコインを循環させてパチスロ機３やコイン貸機４の補給要求に応じて供給するコイン循環機構等（いずれも図示せず）を配置している。また、島本体２の上部には、内側空間部１６の上端となる長尺な上部開口１７を島本体２の長手方向に沿って開設し（図１参照）、該上部開口１７に複数の天板ユニット１８を島本体２の長手方向に沿って並べて内側空間部１６を上方から被覆し、各天板ユニット１８には、コインが貯留された貯留ケース１９を載置できるように構成されている。
【００１５】
さらに、上側梁ユニット１１のうち島本体２の側方に臨ませた外側、言い換えると当該上側梁ユニット１１を挟んで島本体２の内部とは反対側となる遊技者通路Ｗ側には上側装飾パネル２１を止着し、下側梁ユニット１２の外側、言い換えると当該下側梁ユニット１２を挟んで島本体２の内部とは反対側となる遊技者通路Ｗ側には下側装飾パネル２２を止着している。そして、上側装飾パネル２１（上側梁ユニット１１）のうち遊技者通路Ｗ側に臨ませた部分には呼出表示装置（所謂呼出ランプ）２３を装着し、遊技者の呼び出し操作に基づいて発光したり、あるいは呼出表示装置２３の直下に位置するパチスロ機３に関する遊技情報（変動表示ゲームのゲーム回数や大当たり回数等）を表示したりするように構成されている。
【００１６】
次に、上側梁ユニット１１について説明する。
上側梁ユニット１１は、隣り合うフレーム部材７同士（内部フレーム７ａ同士、あるいは内部フレーム７ａと端部フレーム７ｂ）の上部を連結するための横長な枠状ユニットである。そして、図３（ａ）および図５（ａ）に示すように、島本体２の長手方向に沿って延在する横長短冊状の梁本体２６を上下に離間した状態で２本配置し、当該上側梁ユニット１１の長手方向の両端には梁接合部２７をそれぞれ配置している。さらに、一方の梁接合部２７により各梁本体２６の長手方向の一端同士を上下に連結し、他方の梁接合部２７により各梁本体２６の長手方向の他端同士を上下に連結している。言い換えると、梁本体２６の両端に梁接合部２７を設けている。また、梁本体２６のうち島本体２の外側（遊技者通路Ｗ側）の縁部には、上側装飾パネル２１の縁部を嵌合するパネル嵌合溝２８を形成している。さらに、梁接合部２７のうち島本体２の外側寄りの上隅部および島本体２の内側寄りの下隅部には、フレーム部材７に上側梁ユニット１１を止着するための梁側止着孔２９を貫通し、該梁側止着孔２９とフレーム部材７に開設されたフレーム側止着孔３０（図４参照）とが連通するように構成されている。
【００１７】
そして、島本体２は、上側梁ユニット１１が予め設定された組立姿勢、詳しくは、パネル嵌合溝２８が島本体２の側方の遊技者通路Ｗへ臨ませた状態で内部フレーム７ａへ接合しているか否かを容易に判断可能とするための構成を備えている。具体的に説明すると、図４（ａ）および（ｂ）に示すように、内部フレーム７ａの上部のうち梁接合部２７が接合（重合）する矩形状の領域を接合領域３４とし、該接合領域３４には２つのフレーム開口（第１フレーム開口３６および第２フレーム開口３７）を接合領域３４の対角線（島本体２の外方へ向けて下り傾斜する対角線）Ｘ１上に沿って上下に並ぶ状態で開設している。言い換えると、接合領域３４の上寄りに位置する第１フレーム開口３６と、接合領域３４の下寄りに位置する第２フレーム開口３７とを島本体２の長手方向へ貫通する状態で開設し、第２フレーム開口３７を第１フレーム開口３６よりも島本体２の側方寄り（図４（ｂ）中、左寄り）へずれた状態に設定している。
【００１８】
また、図３（ｂ）に示すように、上側梁ユニット１１の両梁接合部２７には、２つの位置合わせ開口（第１位置合わせ開口４１および第２位置合わせ開口４２）を梁接合部２７の対角線（島本体２の外方へ向けて下り傾斜する対角線）Ｘ２上に沿って上下に並ぶ状態でそれぞれ開設している。言い換えると、梁接合部２７の上寄りに位置する第１位置合わせ開口４１と、梁接合部２７の下寄りに位置する第２位置合わせ開口４２とを上側梁ユニット１１の延設方向（言い換えると島本体２の長手方向）へ貫通する状態で開設し、第２位置合わせ開口４２を第１位置合わせ開口４１よりもパネル嵌合溝２８寄り、すなわち島本体２の側方寄り（図３（ｂ）中、左寄り）へずれた状態に設定している。
【００１９】
なお、第１フレーム開口３６、第２フレーム開口３７、第１位置合わせ開口４１、第２位置合わせ開口４２は、全て同じ直径寸法の円形状の開口であって、梁接合部２７の梁側止着孔２９よりも十分に大きな開口で形成されている。また、第１位置合わせ開口４１の開口中心と第２位置合わせ開口４２の開口中心との上下方向の離間距離ＬＰ１は、第１フレーム開口３６の開口中心と第２フレーム開口３７の開口中心との上下方向の離間距離ＬＦ１に等しく設定され、さらに、第１位置合わせ開口４１の開口中心と第２位置合わせ開口４２の開口中心とのずれ方向（島本体２の側方へ向かう方向）の離間距離ＬＰ２は、第１フレーム開口３６の開口中心と第２フレーム開口３７の開口中心とのずれ方向の離間距離ＬＦ２に等しく設定されている。
【００２０】
このような構成を備えた島本体２において、図５（ａ）に示すように、上側梁ユニット１１を予め設定された組立姿勢（パネル嵌合溝２８を島本体２の外側へ向けた姿勢）に設定し、この姿勢で内部フレーム７ａの間に差し入れて接合領域３４に梁接合部２７を重合すると、図５（ｂ）に示すように、第１フレーム開口３６と第１位置合わせ開口４１とが互いに開口縁部を揃えた状態で連通するとともに、第２フレーム開口３７と第２位置合わせ開口４２とが互いに開口縁部を揃えた状態で連通する。そして、第１フレーム開口３６と第１位置合わせ開口４１と連通して第１連通路４６を形成し、該第１連通路４６を第１フレーム開口３６および第１位置合わせ開口４１と同じ直径寸法で形成された断面円形状に設定する。さらに、第２フレーム開口３７と第２位置合わせ開口４２とを連通して第２連通路４７を形成し、該第２連通路４７を第２フレーム開口３７および第２位置合わせ開口４２と同じ直径寸法で形成された断面円形状に設定する。したがって、遊技機設置用島設備１の組立作業員は、第１連通路４６および第２連通路４７が断面円形状に設定されたことを確認することで、上側梁ユニット１１が組立姿勢で仮組みされたことを確認することができる。そして、この仮組み確認を行ってからボルト及びナット等の止着具（図示せず）で内部フレーム７ａと梁接合部２７（すなわち上側梁ユニット１１）を止着する。
【００２１】
一方、上側梁ユニット１１を組立姿勢とは異なる姿勢、例えば、図６（ａ）に示すように、上側梁ユニット１１を組立姿勢から横方向へ１８０度回転した姿勢、すなわち組立姿勢から上側梁ユニット１１の一端と他端とを入れ替えてパネル嵌合溝２８を島本体２の内側へ向けた姿勢に設定し、この姿勢で内部フレーム７ａの間に差し入れて接合領域３４に梁接合部２７を重合すると、図６（ｂ）に示すように、第１フレーム開口３６と第１位置合わせ開口４１とが横方向にずれるとともに、第２フレーム開口３７と第２位置合わせ開口４２とが横方向にずれる。さらに、梁側止着孔２９とフレーム側止着孔３０とが連通しない。この結果、第１フレーム開口３６と第１位置合わせ開口４１とが重なって貫通状態となった部分、および第２フレーム開口３７と第２位置合わせ開口４２とが重なって貫通状態となった部分が島本体２の長手方向から見て縦長な略楕円状の開口となり、第１フレーム開口３６等の円形状開口よりも幅狭な状態に設定される。したがって、遊技機設置用島設備１の組立作業員は、上側梁ユニット１１と内部フレーム７ａとの接合箇所に略楕円状の開口が開設されたことを確認することで、上側梁ユニット１１が組立姿勢に設定されていないことを確認することができる。このことから、島本体２の組立時に上側梁ユニット１１を組立姿勢に設定したか否かを一目して把握することができ、上側梁ユニット１１が誤った姿勢で止着されて取り付けられる不具合を阻止することができる。さらに、止着具で内部フレーム７ａと上側梁ユニット１１とを止着する作業を始める前（具体的にはボルトを梁側止着孔２９へ挿通しようとする前）に上側梁ユニット１１を組立姿勢に設定し直すことができ、島本体２の仮組み後の修正作業、ひいては遊技機設置用島設備１の組立作業を効率よく行うことができる。
【００２２】
また、第１フレーム開口３６、第２フレーム開口３７、第１位置合わせ開口４１、第２位置合わせ開口４２を円形状の開口としたので、上側梁ユニット１１が組立姿勢に設定されているか否かの判断材料となる開口を形成し易い。さらに、開口の縁部の１箇所に応力が集中することを防ぐことができ、梁接合部２７が破損し易くなる不都合を抑えることができる。
【００２３】
そして、図５（ａ）および（ｂ）に示すように、上側梁ユニット１１を組立姿勢で島本体２へ組み付けて形成された第１連通路４６には、複数の信号配線４９を挿通し、各信号配線４９を通して遊技店内の管理装置（図示せず）とパチスロ機３、コイン貸機４、呼出表示装置２３等の間で情報信号の送受信ができるように構成されている。また、第２連通路４７には複数の電源供給配線５０を挿通し、各電源供給配線５０を通して電源をパチスロ機３、コイン貸機４、呼出表示装置２３へ供給するように構成されている。この結果、電源供給配線５０を信号配線４９から下方へ離れた位置に設けることができ、電源供給配線５０と信号配線４９とが近接した状態で遊技機設置用島設備１内に配設されることを防ぐことができる。したがって、電源供給配線５０から発生したノイズが制御信号に混在する不都合、ひいてはノイズの影響でパチスロ機３、コイン貸機４、呼出表示装置２３の誤作動が生じる不都合を阻止することができる。なお、本発明では、第１連通路４６に信号配線４９を挿通するとともに、第２連通路４７に電源供給配線５０を挿通することに限定されない。すなわち、第２連通路４７に信号配線４９を挿通するとともに、第１連通路４６に電源供給配線５０を挿通して、電源供給配線５０を信号配線４９から上方へ離れた位置に設けてもよい。
【００２４】
ところで、上記実施形態では、第１フレーム開口３６、第２フレーム開口３７、第１位置合わせ開口４１、第２位置合わせ開口４２を円形状の開口としたが、本発明はこれに限定されず、どのような形状の開口であってもよい。例えば、図７に示す第２実施形態では、第１フレーム開口５１、第２フレーム開口５２、第１位置合わせ開口５３、第２位置合わせ開口５４を三角形状、詳しくは直角三角形状の開口に設定している。
【００２５】
具体的に説明すると、第１フレーム開口５１および第１位置合わせ開口５３を逆直角三角形状の開口とし、この開口の縁部のうち直角三角形の斜辺に相当する部分を島本体２の外方へ向けて下り傾斜する姿勢に設定している。また、開口の直角状の隅部５１ａ，５３ａを梁接合部２７または接合領域３４の上部のうち島本体２の外方寄り（図７中、左寄り）に配置し、開口の上側に位置する鋭角状の隅部５１ｂ，５３ｂを梁接合部２７または接合領域３４の上部のうち島本体２の内側寄り（図７中、右寄り）に配置し、開口の下側に位置する鋭角状の隅部５１ｃ，５３ｃを梁接合部２７または接合領域３４の中央部のうち島本体２の外方寄りに配置している。一方、第２フレーム開口５２および第２位置合わせ開口５４を直角三角形状の開口とし、この開口の縁部のうち直角三角形の斜辺に相当する部分を島本体２の外方へ向けて下り傾斜する姿勢に設定している。また、開口の直角状の隅部５２ａ，５４ａを梁接合部２７または接合領域３４の下部のうち島本体２の内側寄りに配置し、開口の下側に位置する鋭角状の隅部５２ｂ，５４ｂを梁接合部２７または接合領域３４の下部のうち島本体２の外方寄りに配置し、開口の上側に位置する鋭角状の隅部５２ｃ，５４ｃを梁接合部２７または接合領域３４の中央部のうち島本体２の内側寄りに配置している。
【００２６】
このような構成を梁接合部２７および接合領域３４に備え、上側梁ユニット１１を組立姿勢に設定した状態で梁接合部２７を接合領域３４へ重合すると、第１フレーム開口５１と第１位置合わせ開口５３とを連通して第１連通路５６を形成し、該第１連通路５６の開口断面を第１フレーム開口５１および第１位置合わせ開口５３と同じ逆直角三角形状に設定する。さらに、第２フレーム開口５２と第２位置合わせ開口５４とを連通して第２連通路５７を形成し、該第２連通路５７の開口断面を第２フレーム開口５２および第２位置合わせ開口５４と同じ直角三角形状に設定する。そして、例えば第１連通路５６に信号配線４９を挿通するとともに、第２連通路５７に電源供給配線５０を挿通すると、信号配線４９が自重により傾斜状縁部を滑って下側の隅部５１ｃ，５３ｃ、すなわち島本体２の外方寄りに配置される。したがって、信号配線４９を電源供給配線５０、特に第２連通路５７のうち上側の隅部５２ｃ，５４ｃの近傍に挿通された電源供給配線５０から遠ざけることができ、電源供給配線５０から発生したノイズが制御信号に混在する不都合、ひいてはノイズの影響でパチスロ機３、コイン貸機４、呼出表示装置２３の誤作動が生じる不都合を阻止し易い。なお、第２実施形態においても、第１連通路５６に信号配線４９を挿通するとともに、第２連通路５７に電源供給配線５０を挿通することに限定されない。すなわち、第２連通路５７に信号配線４９を挿通するとともに、第１連通路５６に電源供給配線５０を挿通してもよい。
【００２７】
また、上記実施形態では、信号配線４９および電源供給配線５０の接続先としてパチスロ機３、コイン貸機４、呼出表示装置２３を挙げたが、本発明はこれに限定されず、少なくとも遊技機設置用島設備１に設置されるパチスロ機３等の遊技機が信号配線４９および電源供給配線５０の接続先に設定されていればよい。さらに、上記実施形態では、上側梁ユニット１１にのみ組立姿勢を判別可能とする構成を備えたが、本発明はこれに限定されない。例えば、下側梁ユニット１２に第１位置合わせ開口５３および第２位置合わせ開口を開設し、内部フレーム７ａのうち下側梁ユニット１２を接合する領域に第１フレーム開口および第２フレーム開口を開設して、下側梁ユニット１２が組立姿勢で仮組みされているか否かを判断できるように構成してもよい。そして、本発明における梁ユニットは、上記実施形態において例示した上側梁ユニットの構造に限定されない。要は、島本体２の長手方向に沿って延在する梁本体と、該梁本体の両端に設けられ、フレーム部材７に重合して当該梁ユニットとフレーム部材７とを接合する梁接合部とを備えていれば、どのような構造であってもよい。
【００２８】
ところで、上記実施形態では、代表的な遊技機であるパチスロ機を島本体の両側面に背中合わせ状態で収容可能な遊技機設置用島設備を例にして説明したが、本発明はこれに限定されず、箱型に形成された島本体を備え、該島本体の少なくとも一側面に遊技機を複数並設可能な遊技機設置用島設備であればどのようなものでもよい。例えば、パチンコ遊技機を収容可能な遊技機設置用島設備であってもよい。また、遊技店内の壁面に設けた島本体の一側面にのみ遊技機を設置する所謂壁島であってもよい。
【００２９】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３０】
【図１】遊技機設置用島設備の概略斜視図である。
【図２】遊技機設置用島設備の断面図である。
【図３】（ａ）は上側梁ユニットの分解斜視図、（ｂ）は梁接合部の概略図である。
【図４】（ａ）内部フレームの上部の拡大斜視図、（ｂ）は接合領域の概略図である。
【図５】上側梁ユニットを組立姿勢で取り付ける状態の説明図であり、（ａ）は上側梁ユニットを取り付ける前の島本体の斜視図、（ｂ）は接合領域と梁接合部との重合状態を説明する概略図である。
【図６】上側梁ユニットを組立姿勢とは異なる姿勢で取り付ける状態の説明図であり、（ａ）は上側梁ユニットを取り付ける前の島本体の斜視図、（ｂ）は接合領域と梁接合部との重合状態を説明する概略図である。
【図７】第２実施形態における接合領域および梁接合部の概略図である。
【符号の説明】
【００３１】
１  遊技機設置用島設備
２  島本体
３  パチスロ機
４  コイン貸機
７  フレーム部材
７ａ  内部フレーム
７ｂ  端部フレーム
１１  上側梁ユニット
１２  下側梁ユニット
１４  遊技機設置開口
２１  上側装飾パネル
２２  下側装飾パネル
２３  呼出表示装置
２６  梁本体
２７  梁接合部
３４  接合領域
３６  第１フレーム開口
３７  第２フレーム開口
４１  第１位置合わせ開口
４２  第２位置合わせ開口
４６  第１連通路
４７  第２連通路
４９  信号配線
５０  電源供給配線
５１  第１フレーム開口
５２  第２フレーム開口
５３  第１位置合わせ開口
５４  第２位置合わせ開口
５６  第１連通路
５７  第２連通路
【図１】
2009095519.tif 000003
【図２】
2009095519.tif 000004
【図３】
2009095519.tif 000005
【図４】
2009095519.tif 000006
【図５】
2009095519.tif 000007
【図６】
2009095519.tif 000008
【図７】
2009095519.tif 000009